【手続補正書】
【提出日】平成17年12月7日(2005.12.7)
【手続補正１】
【補正対象書類名】明細書
【補正対象項目名】特許請求の範囲
【補正方法】変更
【補正の内容】
【特許請求の範囲】
【請求項１】  ネットワークを介して接続された第１メールクライアントとメールサーバと複数の第２メールクライアントと印刷装置とを有する電子メールシステムであって、
前記第１メールクライアントは、前記印刷装置のメールアドレスが配信先に追加された同報電子メールを、前記メールサーバに送信するための送信手段を有し、
前記メールサーバは、受信した同報電子メールを前記第２メールクライアントおよび前記印刷装置に送信するための送信手段を有し、
前記第２メールクライアントは、同報電子メールを前記メールサーバから受信するための受信手段と、印刷要求を前記印刷装置に送信するための送信手段とを有し、
前記印刷装置は、同報電子メールを前記メールサーバから受信するための受信手段と、受信した同報電子メールを保管するための保管手段と、印刷要求を前記第２メールクライアントから受信するための受信手段と、受信した印刷要求にしたがって、保管している同報電子メールを印刷するための印刷手段とを有する
ことを特徴とする電子メールシステム。
【請求項２】  ネットワークを介して接続された第１メールクライアントとメールサーバと複数の第２メールクライアントと印刷装置とを有する電子メールシステムであって、
前記第１メールクライアントは、同報電子メールを前記メールサーバに送信するための送信手段を有し、
前記メールサーバは、受信した同報電子メールの配信先に、前記印刷装置のメールアドレスを追加する追加手段と、同報電子メールを前記第２メールクライアントおよび前記印刷装置に送信するための送信手段とを有し、
前記第２メールクライアントは、同報電子メールを前記メールサーバから受信するための受信手段と、印刷要求を前記印刷装置に送信するための送信手段とを有し、
前記印刷装置は、同報電子メールを前記メールサーバから受信するための受信手段と、受信した同報電子メールを保管するための保管手段と、印刷要求を前記第２メールクライアントから受信するための受信手段と、受信した印刷要求にしたがって、保管している同報電子メールを印刷するための印刷手段とを有する
ことを特徴とする電子メールシステム。
【請求項３】  ネットワークを介して接続された第１メールクライアントとメールサーバと複数の第２メールクライアントと印刷装置とを有し、かつ、
前記第１メールクライアントは、同報電子メールを前記メールサーバに送信するための送信手段を有し、
前記第２メールクライアントは、同報電子メールを前記メールサーバから受信するための受信手段と、印刷要求を前記印刷装置に送信するための送信手段とを有し、
前記印刷装置は、同報電子メールを前記メールサーバから受信するための受信手段と、受信した同報電子メールを保管するための保管手段と、印刷要求を前記第２メールクライアントから受信するための受信手段と、受信した印刷要求にしたがって、保管している同報電子メールを印刷するための印刷手段とを有する
電子メールシステムにおけるメールサーバであって、
受信した同報電子メールの配信先に印刷装置のメールアドレスを追加する追加手段と、
同報電子メールを前記第２メールクライアントおよび前記印刷装置に送信するための送信手段と
を有することを特徴とするメールサーバ。
【請求項４】  前記追加手段は、
第２メールクライアントのユーザのメールアドレスと、対応する印刷装置のメールアドレスとが登録されている登録手段と、
同報電子メールに含まれている配信先のメールアドレスを検出するための検出手段と、
検出されたメールアドレスに基づいて、前記登録手段から、追加される印刷装置のメールアドレスを抽出するための抽出手段と
を有することを特徴とする請求項３に記載のメールサーバ。
【請求項５】  さらに、第２メールクライアントおよび印刷装置の位置情報を検出する検出手段と、検出された位置情報に基づいて、前記登録手段の登録内容を更新する更新手段とを有することを特徴とする請求項３に記載のメールサーバ。
【請求項６】  ネットワークを介して接続された第１メールクライアントとメールサーバと複数の第２メールクライアントと印刷装置とを有し、かつ、
前記第１メールクライアントは、同報電子メールを前記メールサーバに送信するための送信手段を有し、
前記メールサーバは、受信した同報電子メールの配信先に印刷装置のメールアドレスを追加する追加手段と、同報電子メールを前記第２メールクライアントおよび前記印刷装置に送信するための送信手段とを有し、
前記第２メールクライアントは、同報電子メールを前記メールサーバから受信するための受信手段と、印刷要求を前記印刷装置に送信するための送信手段とを有する
電子メールシステムにおける印刷装置であって、
同報電子メールを前記メールサーバから受信するための受信手段と、
受信した同報電子メールを保管するための保管手段と、
印刷要求を前記第２メールクライアントから受信するための受信手段と、
受信した印刷要求にしたがって、保管している同報電子メールを印刷するための印刷手段と
を有することを特徴とする印刷装置。
【請求項７】  ネットワークを介して接続された第１メールクライアントとメールサーバと複数の第２メールクライアントと印刷装置とを有する電子メールシステムにおける電子メール通信方法であって、
第１メールクライアントが、同報電子メールをメールサーバに送信するステップ、
メールサーバが、受信した同報電子メールの配信先に、印刷装置のメールアドレスを追加するステップ、
メールサーバが、同報電子メールを前記第２メールクライアントおよび前記印刷装置に送信するステップ、
第２メールクライアントが、同報電子メールをメールサーバから受信するステップ、
第２メールクライアントが、印刷要求を印刷装置に送信するステップ、
印刷装置が、同報電子メールをメールサーバから受信するステップ、
印刷装置が、受信した同報電子メールを保管するステップ、
印刷装置が、印刷要求を第２メールクライアントから受信するステップ、および、
印刷装置が、受信した印刷要求にしたがって、保管している同報電子メールを印刷するステップ
を有することを特徴とする電子メールシステム。
【請求項８】  ネットワークを介して接続された第１メールクライアントとメールサーバと複数の第２メールクライアントと印刷装置とを有し、かつ、
前記第１メールクライアントは、同報電子メールを前記メールサーバに送信するための送信手段を有し、
前記第２メールクライアントは、同報電子メールを前記メールサーバから受信するための受信手段と、印刷要求を前記印刷装置に送信するための送信手段とを有し、
前記印刷装置は、同報電子メールを前記メールサーバから受信するための受信手段と、受信した同報電子メールを保管するための保管手段と、印刷要求を前記第２メールクライアントから受信するための受信手段と、受信した印刷要求にしたがって、保管している同報電子メールを印刷するための印刷手段とを有する
電子メールシステムにおけるメールサーバを制御するための制御プログラムであって、
受信した同報電子メールの配信先に、印刷装置のメールアドレスを追加する手順、および、
同報電子メールを前記第２メールクライアントおよび前記印刷装置に送信する手順を
メールサーバに実行させるための制御プログラム。
【請求項９】  ネットワークを介して接続された第１メールクライアントとメールサーバと複数の第２メールクライアントと印刷装置とを有し、かつ、
前記第１メールクライアントは、同報電子メールを前記メールサーバに送信するための送信手段を有し、
前記メールサーバは、受信した同報電子メールの配信先に印刷装置のメールアドレスを追加する追加手段と、同報電子メールを前記第２メールクライアントおよび前記印刷装置に送信するための送信手段とを有し、
前記第２メールクライアントは、同報電子メールを前記メールサーバから受信するための受信手段と、印刷要求を前記印刷装置に送信するための送信手段とを有する
電子メールシステムにおける印刷装置を制御するための制御プログラムであって、
同報電子メールをメールサーバから受信する手順、
受信した同報電子メールを保管する手順、
印刷要求を第２メールクライアントから受信する手順、および、
受信した印刷要求にしたがって、保管している同報電子メールを印刷する手順を
印刷装置に実行させるための制御プログラム。
【請求項１０】  請求項８又は請求項９に記載の制御プログラムを記録したコンピュータ読み取り可能な記録媒体。
【請求項１１】 前記追加手段は、印刷装置のメールアドレスを、コピーが配布される配信先であるＣＣ、あるいは、他の配信先に対して開示されずにコピーが配布される配信先であるＢＣＣとして、同報電子メールに含まれている配信先に追加することを特徴とする請求項３に記載のメールサーバ。
【請求項１２】 さらに、同報電子メールの添付ファイルの有無を検出する検出手段と、添付ファイルの検出結果に応じて、前記追加手段を制御するための制御手段とを有することを特徴とする請求項３に記載のメールサーバ。
【請求項１３】 ネットワークを介して接続された第１メールクライアントとメールサーバと複数の第２メールクライアントと印刷装置とを有し、かつ、
前記第１メールクライアントは、前記印刷装置のメールアドレスが配信先に追加された同報電子メールを、前記メールサーバに送信するための送信手段を有し、
前記メールサーバは、受信した同報電子メールを前記第２メールクライアントおよび前記印刷装置に送信するための送信手段を有し、
前記第２メールクライアントは、同報電子メールを前記メールサーバから受信するための受信手段と、印刷要求を前記印刷装置に送信するための送信手段とを有する
電子メールシステムにおける印刷装置であって、
同報電子メールを前記メールサーバから受信するための受信手段と、
受信した同報電子メールを保管するための保管手段と、
印刷要求を前記第２メールクライアントから受信するための受信手段と、
受信した印刷要求にしたがって、保管している同報電子メールを印刷するための印刷手段と
を有することを特徴とする印刷装置。
【請求項１４】 さらに、同報電子メールの添付ファイルの有無を検出する検出手段と、添付ファイルの検出結果に応じて、前記保管手段あるいは前記印刷手段を制御して、同報電子メールを保管あるいは印刷させるための制御手段とを有することを特徴とする請求項６又は請求項１１に記載の印刷装置。
【請求項１５】 さらに、同報電子メールの受信形態を検出するための検出手段と、受信形態に応じて、前記保管手段あるいは前記印刷手段を制御して、同報電子メールを保管あるいは印刷させるための制御手段とを有することを特徴とする請求項６又は請求項１１に記載の印刷装置。
【請求項１６】 さらに、同報電子メールに含まれるユーザの認証条件を検出するための検出手段と、ユーザの認証条件が登録されている登録手段と、検出された認証条件と登録されている認証条件とを比較する比較手段と、比較結果に応じて、前記保管手段あるいは前記印刷手段を制御して、同報電子メールを保管あるいは印刷させるための制御手段とを有することを特徴とする請求項６又は請求項１１に記載の印刷装置。
【請求項１７】 さらに、同報電子メールの受信形態を検出するための検出手段と、同報電子メールに含まれるユーザの認証条件を検出するための検出手段と、ユーザの認証条件が登録されている登録手段と、検出された認証条件と登録されている認証条件とを比較する比較手段と、受信形態および比較結果に応じて、前記保管手段あるいは前記印刷手段を制御して、同報電子メールを保管あるいは印刷させるための制御手段とを有することを特徴とする請求項６又は請求項１１に記載の印刷装置。
【請求項１８】 前記受信形態は、直接の配信先であるＴＯ、コピーが配布される配信先であるＣＣ、および、他の配信先に対して開示されずにコピーが配布される配信先であるＢＣＣから構成されることを特徴とする請求項１５又は請求項１７に記載の印刷装置。
【請求項１９】 前記認証条件は、メールアドレスであることを特徴とする請求項１６又は請求項１７に記載の印刷装置。
【請求項２０】 さらに、ユーザの認証条件を入力するための入力手段と、ユーザの認証条件が登録されている登録手段と、入力された認証条件と登録されている認証条件とを比較する比較手段と、比較結果に応じて、前記印刷手段を制御して、保管されている同報電子メールを印刷させるための制御手段とを有することを特徴とする請求項６又は請求項１１に記載の印刷装置。
【請求項２１】 印刷要求に含まれるユーザの認証条件を検出するための検出手段と、ユーザの認証条件が登録されている登録手段と、検出された認証条件と登録されている認証条件とを比較する比較手段と、比較結果に応じて、前記印刷手段を制御して、保管されている同報電子メールを印刷させるための制御手段とを有することを特徴とする請求項６又は請求項１１に記載の印刷装置。
【請求項２２】 前記認証条件は、ユーザ名とパスワードであることを特徴とする請求項２０又は請求項２１に記載の印刷装置。
【請求項２３】 同報電子メールを識別するための識別情報を抽出するための抽出手段と、抽出された識別情報と同報電子メールの保管場所とを関係付ける関係付け手段と、印刷要求に含まれる印刷を要求する同報電子メールの識別情報を抽出するための抽出手段と、抽出された識別情報を比較することによって、保管されている同報電子メールを特定するための特定手段とを有することを特徴とする請求項６又は請求項１１に記載の印刷装置。
【請求項２４】 前記識別情報は、差出人項目、ＴＯ項目、ＣＣ項目、ＢＣＣ項目、送信日時項目、および、件名項目のうちの１つ、またはこれらの２以上の組み合わせからなることを特徴とする請求項２３に記載の印刷装置。